(57)【特許請求の範囲】
【請求項１】
患者の病巣部を含む領域に対して超音波を送受信する超音波プローブと、
前記超音波プローブの出力に基づいて、エラストグラフィを用いて、前記領域に関する硬さ情報を取得する硬さ情報取得部と、
前記超音波プローブの出力に基づいて、超音波カラードップラ法を用いて、前記領域に関する血流情報を取得する血流情報取得部と、
前記硬さ情報及び前記血流情報を共通の座標系に関連付ける関連付け部と、
実際の穿刺時より前に、前記硬さ情報及び前記血流情報に基づいて、前記領域に関する穿刺経路を算出する算出部と、
前記超音波プローブの出力及び前記関連付けた結果に基づいて医用画像を表示すると共に、さらに前記穿刺経路を示すマークを位置整合して前記医用画像に表示する表示部と、
を具備する超音波診断装置。
【請求項２】
患者の病巣部を含む領域に対して超音波を送受信する超音波プローブと、
前記超音波プローブの出力に基づいて、エラストグラフィを用いて、前記領域に関する硬さ情報を取得する硬さ情報取得部と、
前記超音波プローブの出力に基づいて、超音波カラードップラ法を用いて、前記領域に関する血流情報を取得する血流情報取得部と、
前記硬さ情報及び前記血流情報を共通の座標系に関連付ける関連付け部と、
前記硬さ情報及び前記血流情報に基づいて、前記領域に関する穿刺経路を算出する算出部と、
前記超音波プローブの出力及び前記関連付けた結果に基づいて医用画像を表示すると共に、さらに前記穿刺経路を示すマークを位置整合して前記医用画像に表示する表示部と、
を具備し、
前記算出部は、
前記硬さ情報に基づいて、穿刺の必要度合を示す穿刺必要度を計算し、
前記血流情報に基づいて、穿刺の回避必要度合を示す穿刺回避必要度を計算し、
それぞれのピクセルにおいて前記穿刺必要度及び前記穿刺回避必要度の重み付けを行うことにより、前記穿刺回避必要度が閾値より高いピクセルを避け、前記穿刺必要度が閾値より高いピクセルに到達するピクセルの座標を結ぶ直線として前記穿刺経路を算出する、超音波診断装置。
【請求項３】
前記硬さ情報取得部は、複数視差における前記硬さ情報を取得し、
前記血流情報取得部は、前記複数視差における前記血流情報を取得し、
前記関連付け部は、前記複数視差における前記硬さ情報と前記血流情報とをそれぞれ関連付け、
前記表示部は、閲覧者の閲覧角度に応じて前記複数視差における関連付けの結果に基づいて、立体視可能な立体画像を表示する、請求項１又は２記載の超音波診断装置。
【請求項４】
前記表示部は、屈折率分布型レンズにより、前記複数視差に基づく前記立体画像と２次元画像とを切り替えて表示する、請求項３記載の超音波診断装置。
【請求項５】
前記表示部は、前記屈折率分布型レンズの部分領域毎に、前記立体画像と２次元画像とを切り替えて表示する、請求項４記載の超音波診断装置。
【請求項６】
前記超音波プローブの出力に基づき、３次元画像データであるボリュームデータを生成する画像生成部と、
前記ボリュームデータに基づいて、前記立体画像を生成する裸眼３Ｄ画像生成部、をさらに備える請求項３記載の超音波診断装置。
【請求項７】
前記算出部は、前記硬さ情報に基づいて、前記穿刺経路の算出に用いられ、穿刺の必要度合を示す穿刺必要度を計算する計算部、をさらに備える請求項１記載の超音波診断装置。
【請求項８】
前記算出部は、前記血流情報に基づいて、前記穿刺経路の算出に用いられ、穿刺の回避必要度合を示す穿刺回避必要度を計算する計算部、をさらに備える請求項１記載の超音波診断装置。
【請求項９】
前記表示部は、屈折率分布型レンズにより閲覧者の閲覧角度に応じた前記複数視差における関連付けの結果を表示する、請求項３記載の超音波診断装置。
【請求項１０】
前記算出部は、複数の前記穿刺経路を算出する、請求項１又は２に記載の超音波診断装置。
【請求項１１】
患者の病巣部を含む領域に対して超音波を送受信する超音波プローブと、
前記超音波プローブの出力に基づいて、エラストグラフィを用いて、前記領域に関する硬さ情報を取得する硬さ情報取得部と、
前記超音波プローブの出力に基づいて、超音波カラードップラ法を用いて、前記領域に関する血流情報を取得する血流情報取得部と、
前記硬さ情報及び前記血流情報を共通の座標系に関連付ける関連付け部と、
前記関連付けられた座標系のうち前記病巣部をターゲットとして穿刺針を刺入することが可能なアプローチ可能範囲、前記硬さ情報及び前記血流情報に基づいて、前記領域に関する穿刺経路を算出する算出部と、
前記超音波プローブの出力及び前記関連付けた結果に基づいて医用画像を表示すると共に、さらに前記穿刺経路を示すマークを位置整合して前記医用画像に表示する表示部と、
を具備する超音波診断装置。
【請求項１２】
前記算出部は、前記アプローチ可能範囲から刺入して前記病巣部に到達する複数の前記穿刺経路を算出する、請求項１１に記載の超音波診断装置。
【発明の詳細な説明】
【技術分野】
【０００１】
本発明の実施形態は、超音波診断装置に関する。
【背景技術】
【０００２】
前立腺がんの確定診断は病理組織学的診断によるため、生検による組織の採取が必要である。生検は、経直腸的超音波ガイド下生検を原則とする。生検は、経直腸的アプローチ、経会陰的アプローチのいずれかまたは双方の組み合わせにより行われる。生検においては、前立腺癌取扱い規約等に従って最低６ヵ所の部位から、悪性腫瘍組織の検出率向上のためには２０ヶ所以上の部位から組織が採取されている。以下、上記の組織採取の方法を、ランダム生検又は系統的生検と呼ぶ。ランダム生検が行われる理由は、前立腺がんの疑いの有無が腫瘍マーカー検査の値と、経直腸触診により決められるため、疑わしい組織がある位置を特定できないからである。
【０００３】
しかしながら、２０ヶ所以上のランダム生検は、直腸からの細菌による感染症や、主要血管を刺すことによる大出血等の副作用の可能性が生じてしまう。
【０００４】
そこで最近では、前立腺組織の中の悪性腫瘍が疑われる部位が正常組織よりも硬いことを利用し、疑わしい部位から組織を採取する狙撃生検が研究されている。狙撃生検には例えば、超音波エラストグラフィを用いて疑わしい部位を検知する方法や、超音波画像とＭＲＩ画像との組み合わせにより疑わしい部位の検出率を向上させる方法が用いられる。
【先行技術文献】
【特許文献】
【０００５】
【特許文献１】特開２０１３−９０４０号公報
【非特許文献】
【０００６】
【非特許文献１】INNERVISION (26・8) 2011, p.68-71
【非特許文献２】JAMA. 2015; 313(4):390-397
【発明の概要】
【発明が解決しようとする課題】
【０００７】
目的は、超音波ガイド下での針生検の効率の向上を可能とする超音波診断装置を提供することにある。
【課題を解決するための手段】
【０００８】
本実施形態に係る超音波診断装置は、超音波プローブ、硬さ情報取得部、血流情報取得部、関連付け部、算出部及び表示部を具備する。
【０００９】
前記超音波プローブは、患者の病巣部を含む領域に対して超音波を送受信する。
【００１０】
前記硬さ情報取得部は、前記超音波プローブの出力に基づいて、エラストグラフィを用いて、前記領域に関する硬さ情報を取得する。
【００１１】
前記血流情報取得部は、前記超音波プローブの出力に基づいて、超音波カラードップラ法を用いて、前記領域に関する血流情報を取得する。
【００１２】
前記関連付け部は、前記硬さ情報及び前記血流情報を共通の座標系に関連付ける。
【００１３】
前記算出部は、実際の穿刺時より前に、前記硬さ情報及び前記血流情報に基づいて、前記領域に関する穿刺経路を算出する。
【００１４】
前記表示部は、前記超音波プローブの出力及び前記関連付けられた結果に基づいて医用画像を表示すると共に、さらに前記穿刺経路を示すマークを位置整合して前記医用画像に表示する。
【図面の簡単な説明】
【００１５】
【図１】図１は、本実施形態に係る超音波診断装置の構成を示す図である。
【図２】図２は、図１の超音波プローブと穿刺針との位置関係を示す図である。
【図３】図３は、図１のシステム制御回路の制御により行われる超音波検査の典型的な流れを時系列で示す図である。
【図４】図４は、図１の超音波プローブの、前立腺への直腸側アプローチおよび会陰側アプローチについて説明するための図である。
【図５】図５は、予め準備されている会陰・直腸を含む前立腺周辺の人体解剖図（標準モデル）にエラストグラフィ画像データを重畳表示した画像を示す模式図である。
【図６】図６は、予め準備されている会陰・直腸を含む前立腺周辺の人体解剖図（標準モデル）にドプラ画像データを重畳表示した画像を示す模式図である。
【図７】図７は、エラストグラフィ画像とドプラ画像との関連付け情報を示す模式図である。
【図８】図８は、図１の超音波プローブの、前立腺への直腸側アプローチによる超音波画像データを示す模式図である。
【図９】図９は、図１のディスプレイの表示例のひとつを示す図である。
【発明を実施するための形態】
【００１６】
以下、図面を参照しながら本実施形態に係る超音波診断装置を説明する。以下の説明では、一点鎖線内の医用画像診断装置が超音波診断装置に備えられている場合を例に挙げて述べる。しかしながら当該例に拘泥されず、例えば他の医用画像診断装置においても図１の一点鎖線内の構成と実質的に同じ構成を備えることで、超音波診断装置と同様の機能を実現することができる。なお以下の説明において、略同一の機能及び構成を有する構成要素については同一符号を付し、重複説明は必要な場合にのみ行う。
【００１７】
図１は、本実施形態に係る超音波診断装置の構成を示す図である。この超音波診断装置１は、超音波プローブ３、及び装置本体５を有している。装置本体５は、送信部１１、受信部１３、送受信制御部１５、Ｂモード処理部１７、ドプラモード処理部１９、画像生成部２１、組織性状情報計測部２３、関連付け部２５、算出部２７、ディスプレイ２９、入力インターフェース（Ｉｎｔｅｒｆａｃｅ：以下、Ｉ／Ｆと呼ぶ）回路３１、記憶回路３３、及びシステム制御回路３５を有している。
【００１８】
超音波プローブ３は、患者（被検体）の病巣部を含む領域に対して超音波を送受信する。具体的には例えば、超音波プローブ３は、２次元状に配列された複数の振動子を有している。振動子は、送信部１１からの駆動信号に応じて超音波を発生し、被検体からの反射波を電気信号（エコー信号）に変換する。複数の振動子の前方側には、振動子と被検体との間の音響インピーダンス差を整合するための整合層が取り付けられている。複数の振動子の後方側には、超音波の伝播を防止するバッキング材が取り付けられている。超音波プローブ３から被検体に超音波が送信されると、超音波は、体内組織の音響インピーダンスの不連続面で次々と反射される。反射された超音波は、超音波プローブ３によりエコー信号として受信される。このエコー信号の振幅は、超音波が反射された不連続面における音響インピーダンスの差に依存する。また、超音波が血流や心臓壁等の表面で反射された場合は、エコー信号は、ドプラ効果により移動体の超音波送信方向の速度成分に依存した周波数偏移を受ける。
【００１９】
穿刺針１００は、被検体の内部に刺入される針である。典型的には、超音波プローブ３には、穿刺針１００のためのアダプタが取り付けられている。アダプタは、穿刺針１００のガイドとして機能する。穿刺針１００は、ユーザによりアダプタを介して被検体内に刺入される。なお、超音波プローブ３は穿刺プローブであっても通常のプローブであってもどちらでも良い。超音波プローブ３が穿刺プローブの場合、超音波プローブ３はアダプタを嵌め込み可能な構造を有している。超音波プローブ３が通常のプローブの場合、アダプタは超音波プローブ３の側面に装着される。以下、本実施形態に係る超音波プローブ３は通常のプローブであるとする。
【００２０】
穿刺針１００には位置センサ２００が設けられている。位置センサ２００は、実空間上における穿刺針１００の先端の位置を検出し、検出された位置に関するデータを生成する。位置センサとしては例えば、磁気センサや加速度センサが用いられる。穿刺針１００の先端の位置に関するデータは、関連付け部２５および算出部２７に供給される。
【００２１】
送信部１１は、図示しないトリガ発生回路、遅延回路およびパルサ回路等を有している。パルサ回路は、所定のレート周波数ｆｒ［Ｈｚ］（周期；１／ｆｒ秒）で、送信超音波を形成するためのレートパルスを繰り返し発生する。遅延回路は、送信方向及び送信フォーカス位置に応じた遅延時間をチャンネル毎に各レートパルスに印加する。トリガ発生回路は、このレートパルスに基づくタイミングで、超音波プローブ３に駆動信号を印加する。駆動信号の印加により、遅延時間に応じた送信方向及び送信フォーカス位置に関する超音波送信ビームが超音波プローブ３から送信される。
【００２２】
なお送信部１１は、送受信制御部１５の指示に従って、送信周波数、送信駆動電圧等を瞬時に変更可能な機能を有している。特に送信駆動電圧の変更については、瞬間にその値を切り替え可能なリニアアンプ型の発信回路、又は複数の電源ユニットを電気的に切り替える機構によって実現される。
【００２３】
受信部１３は、図示していないアンプ回路、Ａ／Ｄ変換器、ビームフォーマ等を有している。アンプ回路は、超音波プローブ３からのエコー信号をチャンネル毎に増幅する。Ａ／Ｄ変換器は、増幅されたエコー信号にＡ／Ｄ変換を施す。ビームフォーマは、デジタルのエコー信号に、超音波受信ビームのビーム方向を決定するのに必要な遅延時間を受信焦点位置毎に印加し、遅延時間が与えられたエコー信号を加算する。この遅延加算により、超音波受信ビームに対応する受信信号が生成される。
【００２４】
送受信制御部１５は、送信部１１と受信部１３とを制御し、走査領域を対象として超音波走査を実行する。本実施形態に係る映像モードとして、Ｂモード、ドプラモード及びエラストグラフィモードが適用可能である。
【００２５】
Ｂモード処理部１７は、受信部１３からの受信信号に対数増幅や包絡線検波処理などを施し、信号強度が輝度の明るさで表現されるＢモードデータを生成する。Ｂモード処理部１７は、超音波走査の映像モードがＢモードの場合に作動される。Ｂモードデータは、記憶回路３３に供給される。
【００２６】
ドプラモード処理部１９は、受信部１３からの受信信号に周波数解析を施し、ドプラ効果による血流や組織、造影剤エコー成分を抽出し、平均速度、分散、パワー等の血流情報をカラーで表現するドプラデータを生成する。ドプラモード処理部１９は、超音波走査の映像モードがドプラモードの場合に作動する。ドプラデータは、記憶回路３３に供給される。
【００２７】
映像モードがエラストグラフィモードの場合、ドプラモード処理部１９は、受信部１３からの受信信号に自己相関演算等のカラードプラ処理を施し、変位に由来する生体組織の移動速度を計算する。移動速度は、走査領域を構成する画素毎に計算される。そして、組織性状情報計測部２３は、この移動速度に基づいて、生体組織の硬さに応じて変化する指標（以下、硬さ指標と呼ぶことにする。）を計算する。硬さ指標としては、移動速度の時間積分である変位、移動速度の空間微分である歪み（ストレイン）等が知られている。本実施形態に係る硬さ指標としては、変位及び歪みを含む、硬さに応じた如何なる指標も適用可能である。以下、エラストグラフィモードにおける硬さ指標に関するデータを、エラストグラフィデータと呼ぶ。エラストグラフィデータは、記憶回路３３に供給される。
【００２８】
画像生成部２１は、超音波プローブ３の出力に基づき、３次元画像データであるボリュームデータを生成する。具体的には画像生成部２１は、記憶回路３３に記憶されたＢモードデータに基づいて被検体に関するＢモード画像のデータ（以下、Ｂモード画像データと呼ぶ）を生成する。また、画像生成部２１は、記憶回路３３に記憶されたドプラデータに基づいて被検体に関するドプラ画像のデータ（以下、ドプラ画像データと呼ぶ）を生成する。また、画像生成部２１は、記憶回路３３に記憶されたエラストグラフィデータに基づいて被検体に関するエラストグラフィ画像のデータ（以下、エラストグラフィ画像データと呼ぶ）を生成する。Ｂモード画像データ、ドプラ画像データ及びエラストグラフィ画像データは、２次元画像でも良いし３次元画像すなわちボリュームデータであっても良い。画像生成部２１は、生成したＢモード画像データ、ドプラ画像データ及びエラストグラフィ画像データを、記憶回路３３、関連付け部２５に送出する。
【００２９】
組織性状情報計測部２３は、受信信号、Ｂモードデータ、Ｂモード画像データ、ドプラデータ、ドプラ画像データ、エラストグラフィデータ、あるいはエラストグラフィ画像データに基づいて、走査領域における被検体内の生体組織の性状に関する情報（以下、組織性状情報と呼ぶ）を計測する。組織性状情報は、生体組織の硬さの情報及び生体組織の血流情報等である。組織性状情報計測部２３は、記憶回路３３から読み出したエラストグラフィ画像データ及びエラストグラフィデータに基づき、患者の病巣部を含む領域に関する硬さ情報を計測（取得）し、この硬さ情報を関連付け部２５及び算出部２７に送出する。ここで、組織性状情報計測部２３は、複数視差における硬さ情報を取得してもよい。
【００３０】
これに加え、組織性状情報計測部２３は、記憶回路３３から読み出したドプラ画像データ及びドプラデータに基づき、患者の病巣部を含む領域に関する血流情報を計測（取得）し、この血流情報を関連付け部２５及び算出部２７に送出する。ここで、組織性状情報計測部２３は、複数視差における血流情報を取得してもよい。
【００３１】
このようなドプラモード処理部１９、記憶回路３３及び組織性状情報計測部２３は、患者の病巣部を含む領域に対して超音波を送受信する超音波プローブ３の出力に基づき、エラストグラフィを用いて、患者の病巣部を含む領域に関する硬さ情報を計測する硬さ情報取得部（図示せず）を構成している。同様に、ドプラモード処理部１９、記憶回路３３及び組織性状情報計測部２３は、超音波プローブ３の出力に基づき、超音波カラードプラ法を用いて、患者の病巣部を含む領域に関する血流情報を取得する血流情報取得部（図示せず）を構成している。
【００３２】
関連付け部２５は、組織性状情報計測部２３により計測された硬さ情報及び血流情報を共通の座標系に関連付ける。ここで、「共通の座標系に関連付ける」旨は、「互いに重畳する」旨に読み替えてもよい。共通の座標系としては、例えば、共通の２次元座標系、又は共通の３次元座標系のいずれを用いてもよい。関連付け部２５は、複数視差における硬さ情報と血流情報とをそれぞれ関連付ける。いずれにしても関連付けられた結果は、記憶回路３３に記憶される。以下、硬さ情報と血流情報との関連付けられた結果（重畳した結果）を関連付け情報と呼ぶことにする。これに加え、関連付け部２５は、後述する位置センサ２００からのデータに関する処理を実行する。
【００３３】
算出部２７は、組織性状情報計測部２３により計測された硬さ情報及び血流情報に基づいて、患者の病巣部を含む領域に関する穿刺経路を算出する。具体的には算出部２７は、記憶回路３３に記憶された関連付け情報に基づいて、例えば患者の病巣部を含む２次元領域に関する穿刺経路を算出する。算出部２７は、記憶回路３３に記憶された関連付け情報に基づいて、患者の病巣部を含む３次元領域に関する穿刺経路を算出しても良い。なお、算出部２７は、硬さ情報に基づいて、穿刺経路の算出に用いられ、穿刺の必要度合を示す穿刺必要度を計算する計算部（図示せず）をさらに備えても良い。また、算出部２７は、血流情報に基づいて、穿刺経路の算出に用いられ、穿刺の回避必要度合を示す穿刺回避必要度を計算する計算部（図示せず）をさらに備えても良い。これに加え、算出部２７は、後述する穿刺経路の算出及び位置センサ２００からのデータに関する処理を実行しても良い。
【００３４】
裸眼３Ｄデータ生成部２８は、Ｂモード画像データ、ドプラ画像データ及びエラストグラフィ画像データ等の各種ボリュームデータに基づいて、複数視差における医用画像（立体画像）を生成する。ここで、複数視差における医用画像（立体画像）は、「視差画像群」と呼んでもよい。「視差画像群」とは、ボリュームデータに対してボリュームレンダリング処理を行うことで生成された立体視用の画像群のことである。また、「視差画像」とは、「視差画像群」を構成する個々の画像のことである。すなわち、「視差画像群」は、視点位置が異なる複数の「視差画像」から構成される。補足すると、裸眼３Ｄデータ生成部２８は、ボリュームデータに対して種々のレンダリング処理を行い、視差画像群を生成する。具体的には例えば、裸眼３Ｄデータ生成部２８は、記憶回路３３からボリュームデータを読み込み、このボリュームデータに対して、まず前処理を行う。次に、裸眼３Ｄデータ生成部２８は、前処理後のボリュームデータに対してボリュームレンダリング処理を行い、視差画像群を生成する。ボリュームレンダリング処理とは、レンダリング処理の内、３次元の情報を反映した２次元画像を生成する処理のことである。レンダリング処理とは、ボリュームデータに対して行う画像処理全体のことである。これにより、例えば、裸眼３Ｄデータ生成部２８によって、ボリュームデータに対して異なる９つの視点位置からレンダリング処理が行われ、生成された９つの視差画像が裸眼３Ｄディスプレイによって表示される。ボリュームデータは、ボクセルの集合であり、各ボクセルには、所定の画素値や、３次元仮想空間上の座標や、被検体の実寸に対応するボクセルサイズ（例えば、１ボクセル＝１ｍｍ角）等が割り当てられる。すなわち、ボリュームデータに含まれる各ボクセルを３次元仮想空間にマッピングすることで、被検体像を３次元的に復元することができる。
【００３５】
ディスプレイ２９は、種々の情報を表示する。ディスプレイ２９は、例えば、記憶回路３３に記憶された画像データ、組織性状情報計測部２３の出力及び関連付け部２５により関連付けられた結果に基づいて医用画像を表示すると共に、さらに算出部２７により算出された穿刺経路を示すマークと医用画像とを位置整合して表示する。ディスプレイ２９としては、例えば、裸眼３Ｄディスプレイ、ＣＲＴディスプレイ、液晶ディスプレイ、有機ＥＬディスプレイ及びプラズマディスプレイ等が適宜、使用可能となっている。以下の説明は、ディスプレイ２９が裸眼３Ｄディスプレイである場合を例に挙げて述べる。裸眼３Ｄディスプレイは、裸眼３Ｄデータ生成部２８において生成された複数視差における医用画像に基づいて、裸眼で３Ｄ表示可能な構成を有する。具体的には例えば、裸眼３Ｄディスプレイは、ＧＲＩＮ（Ｇｒａｄｉｅｎｔ＿Ｉｎｄｅｘ：屈折率分布型）レンズ等の光線制御子を用いることで、例えば、９視差画像等の多視差画像を観察者が裸眼にて立体視可能とするものがある。かかる裸眼３Ｄディスプレイは、両眼視差による立体視を可能とし、更に、観察者の視点移動に合わせて観察される映像も変化する運動視差による立体視も可能とする。具体的には例えば、裸眼３Ｄディスプレイには、液晶パネル等の平面状の表示面の前面に、ＧＲＩＮレンズ等の光線制御子が配置される。なお、ＧＲＩＮレンズは、レンズ効果があるときに形成される凸部が前面となるように貼り付けられるが、当該凸部が表示面に対向するように貼り付けられる場合であってもよい。表示面には、例えば、縦横比が３：１であり、縦方向にサブ画素である赤（Ｒ）、緑（Ｇ）、青（Ｂ）の３つが配置された画素がマトリクス状に配置される。この例の裸眼３Ｄディスプレイは、９つの画像により構成される９視差画像を、所定フォーマット（例えば格子状）に配置した中間画像に変換したうえで、表示面に出力する。すなわち、この例の裸眼３Ｄディスプレイは、９視差画像にて同一位置にある９つの画素それぞれを、９列の画素に割り振って出力させる。９列の画素は、視点位置の異なる９つの画像を同時に表示する単位画素群となる。このような表示面において単位画素群として同時に出力された９視差画像は、例えば、ＬＥＤ（Light  Emitting  Diode）バックライトにより平行光として放射され、更に、ＧＲＩＮレンズにより、多方向に放射される。９視差画像の各画素の光が多方向に放射されることにより、観察者の右目及び左目に入射する光は、観察者の位置（視点の位置）に連動して変化する。すなわち、観察者の見る角度により、右目に入射する視差画像と左目に入射する視差画像とは、視差角が異なる。これにより、観察者は、例えば、９つの位置それぞれにおいて、撮影対象を立体的に視認できる。なお、ここで述べた３Ｄディスプレイは、あくまでも一例である。９視差画像を表示する裸眼３Ｄディスプレイは、「ＲＲＲ・・・、ＧＧＧ・・・、ＢＢＢ・・・」の横ストライプ液晶である場合であってもよいし、「ＲＧＢＲＧＢ・・・」の縦ストライプ液晶である場合であってもよい。
【００３６】
ＧＲＩＮレンズとしては、例えば、レンズ効果をオン／オフ可能な液晶ＧＲＩＮレンズを用いることが、立体画像と２次元画像とを切り替えて表示できる観点から好ましい。液晶ＧＲＩＮレンズとしては、１枚の液晶セルの部分領域毎にレンズ効果をオン／オフ可能な部分２Ｄ／３Ｄ切替方式を用いることが、立体画像と２次元画像とを同時に表示できる観点から好ましい。ここで、部分２Ｄ／３Ｄ切替方式は、ＧＲＩＮレンズの部分領域毎に、立体画像と２次元画像とを切り替えて表示できる方式であり、必ずしも立体画像と２次元画像とを同時に表示する必要はない。また、液晶ＧＲＩＮレンズとしては、画面の回転を実現するため、縦横３Ｄ切替方式を用いてもよい。本実施形態では、裸眼３Ｄディスプレイが部分的に３Ｄ表示／２Ｄ表示を区別可能な構成を有する場合を例に挙げて述べる。記憶回路３３及びディスプレイ２９は、超音波プローブ３の出力及び関連付けられた結果に基づいて医用画像を表示すると共に、さらに穿刺経路を示すマークを位置整合して医用画像に表示する表示部を構成している。なお当該表示部は、裸眼３Ｄディスプレイを用いることにより、閲覧者の閲覧角度に応じて複数視差における関連付けの結果に基づいて、立体視可能な立体画像を表示してもよい。また、当該表示部は、ＧＲＩＮレンズにより、複数視差に基づく立体画像と２次元画像とを切り替えて表示してもよい。また当該表示部は、その一部分において複数視差に基づく医用画像を表示しても良い。また当該表示部は、ＧＲＩＮレンズにより閲覧者の閲覧角度に応じた当該複数視差における関連付け情報を表示しても良い。
【００３７】
入力Ｉ／Ｆ回路３１は、ユーザからの各種指示を装置本体５に取り込むための入力機器である。入力Ｉ／Ｆ回路３１は例えば、トラックボール、各種スイッチ、ボタン、マウス、キーボード等が適用可能である。具体的には、入力Ｉ／Ｆ回路３１は、ユーザからの指示に従って穿刺針の刺入角度が入力される。さらに入力Ｉ／Ｆ回路３１は、ユーザからの指示に従って仕様情報が入力されてもよい。
【００３８】
記憶回路３３は、入力Ｉ／Ｆ回路３１から供給される医師等の指示や、種々のデータを記憶するメモリ等である。記憶回路３３は例えば、受信信号、Ｂモードデータ、Ｂモード画像データ、ドプラデータ、ドプラ画像データ、エラストグラフィデータ、及びエラストグラフィ画像データを記憶する。また記憶回路３３は、本実施形態に係る超音波検査のための制御プログラムを記憶している。
【００３９】
システム制御回路３５は、例えばメモリと、専用又は汎用のプロセッサとによって実現される。システム制御回路３５は、情報処理装置（計算機）としての機能を持ち、超音波診断装置１の動作を制御する。システム制御回路３５は、記憶回路３３から本実施形態に係る超音波検査のための制御プログラムを読み出して自身が有するメモリに展開し、制御プログラムに従って超音波診断装置１内の各部を制御する。
【００４０】
次に、本実施形態に係る超音波診断装置１の詳細について説明する。
【００４１】
始めに、超音波プローブ３と穿刺針１００との位置関係について図２を用いて説明する。図２に示すように、超音波プローブ３により超音波ビームが走査面ＳＰに向けて照射される。超音波ビームの位置を変更しながら超音波ビームを繰り返し送受信することにより、走査面ＳＰが超音波ビームで走査される。超音波プローブ３には、アダプタ３００が嵌め込まれている。アダプタ３００は、穿刺針１００を刺し入れ可能な構造を有している。穿刺針１００は、略一定の刺入角度Ａ１で抜き差し可能にアダプタ３００に固定される。例えば、刺入角度Ａ１は、振動子の超音波放射面ＵＳと穿刺針１００とがなす角度に規定される。ユーザは、ディスプレイ２９に表示された超音波画像を観察しながら、被検体内の検査部位に向けて穿刺針１００を刺し入れる。
【００４２】
本実施形態に係る穿刺針１００としては、生検に利用される生検針やＲＦＡに利用される電極針等の被検体内に刺入されるあらゆる針が適用可能である。例えば穿刺針１００として、乳腺のマンモトーム（登録商標）生検に利用される生検針、肝臓のＲＦＡ治療で利用されるＲＩＴＡ社製の電極針（ＲＩＴＡ針）が挙げられる。
【００４３】
次に、以上のように構成された超音波診断装置１の動作例について図３乃至図９を用いて説明する。図３は、図１のシステム制御回路３５の制御により行われる超音波検査の典型的な流れを時系列で示す図である。
【００４４】
図４は、図１の超音波プローブ３の、前立腺への直腸側アプローチおよび会陰側アプローチについて説明するための図である。説明を具体的にするために、超音波プローブ３は直腸側アプローチで前立腺に到達されるとする。まず医師等は、超音波プローブ３を肛門から直腸内に挿入する。超音波プローブ３の穿刺針１００を直腸側アプローチ可能範囲ＲＮに到達させた後、医師等は各種画像の取得命令を入力Ｉ／Ｆ回路３１に入力する。以下の説明を具体的にするため、ディスプレイ２９は裸眼３Ｄディスプレイであり、表示される画像は裸眼３Ｄ画像であるとする。裸眼３Ｄ画像は３次元情報を有する画像で、裸眼３Ｄディスプレイにより実現される。すなわち、超音波プローブ３により得られる画像は、２次元画像の多層画像或いはボリュームデータである。
【００４５】
穿刺針１００が直腸側アプローチ可能範囲ＲＮに到達され、各種画像の取得命令が入力Ｉ／Ｆ回路３１に入力された後、システム制御回路３５は、ユーザにより入力Ｉ／Ｆ回路３１を介して入力されたドプラ画像及びエラストグラフィ画像の撮影指示に応じて、ドプラモード処理部１９に、ドプラデータ及びエラストグラフィデータを生成させる（時刻ｔ０）。時刻ｔ０においてドプラモード処理部１９は、受信部１３からの受信信号に周波数解析を施し、ドプラ効果による血流や組織、造影剤エコー成分を抽出し、平均速度、分散、パワー等の血流情報をカラーで表現するドプラデータを生成する。ドプラデータは、記憶回路３３に供給される。
【００４６】
時刻ｔ０において、ドプラモード処理部１９は、受信部１３からの受信信号に自己相関演算等のカラードプラ処理を施し、変位に由来する生体組織の移動速度を計算する。移動速度は、走査領域を構成する画素毎に計算される。そして、組織性状情報計測部２３は、移動速度に基づいてエラストグラフィデータを計算する。エラストグラフィデータは、記憶回路３３に供給される。なお、ドプラデータ及びエラストグラフィデータの生成は時刻ｔ０に行われるとしたが、厳密に同一の時刻である必要はなく略時刻ｔ０として良い。すなわち、ドプラデータ及びエラストグラフィデータの生成処理は、互いに並列に実行されている。
【００４７】
時刻ｔ０の後、システム制御回路３５は画像生成部２１に、ドプラデータ及びエラストグラフィデータに基づいてドプラ画像データ及びエラストグラフィ画像データを生成させる（時刻ｔ１）。時刻ｔ１において画像生成部２１は、時刻ｔ０で生成されたドプラデータに基づいて、ドプラ画像データ（２次元画像の多層画像）を生成する。なお、画像生成部２１は、２次元画像の多層画像に代えて、３次元画像すなわちボリュームデータをドプラ画像データとして生成しても良い。
【００４８】
時刻ｔ１において画像生成部２１は、時刻ｔ０で生成されたエラストグラフィデータに基づいて、エラストグラフィ画像データ（２次元画像の多層画像）を生成する。同様に画像生成部２１は、２次元画像の多層画像に代えて３次元画像すなわちボリュームデータをエラストグラフィ画像データとして生成しても良い。なお、ドプラ画像データ及びエラストグラフィ画像データの生成は時刻ｔ１に行われるとしたが、厳密に同一の時刻である必要はなく略時刻ｔ１として良い。すなわち、ドプラ画像データ及びエラストグラフィ画像データの生成処理は、互いに並列に実行されている。
【００４９】
時刻ｔ１の後、システム制御回路３５は組織性状情報計測部２３に、エラストグラフィ画像データに基づいて走査領域における生体組織の硬さから癌の検査候補点群を計測させる（時刻ｔ２）。時刻ｔ２において組織性状情報計測部２３は、エラストグラフィ画像データに基づき、患者の病巣部を含む領域に関する硬さ情報を計測（取得）する。図５は、予め準備されている会陰・直腸を含む前立腺周辺の人体解剖図（標準モデル）にエラストグラフィ画像を重畳表示した画像を示している。図５において、具体的には、人体解剖図の破線部分ＤＳがエラストグラフィ画像の表示位置に対応する。図５左側は、重畳表示されたエラストグラフィ画像を拡大して示している。ディスプレイ２６（裸眼３Ｄディスプレイ）は、重畳画像を表示する。なお、経直腸超音波画像または経腹３Ｄ超音波画像などにより計測された患者本人の会陰−前立腺間の距離・位置関係および肛門・直腸と前立腺の位置関係に基づいて、人体解剖図（標準モデル）を患者本人の身体に適合するよう修正しても良い。人体解剖図の修正手段として、例えば数値を入力することで標準モデルを微調整するアプリケーションなどが考えられる。図５中、ハッチング密度は、組織の硬さに対応している。すなわち図５において、ハッチング密度の高いピクセルは組織の硬いピクセルすなわち癌の検査候補点群のピクセルを示す。組織性状情報計測部２３は、計測された硬さ情報および癌の検査候補点群を、関連付け部２５及び算出部２７に送出する。
【００５０】
時刻ｔ２の後、システム制御回路３５は組織性状情報計測部２３に、ドプラ画像データに基づいて患者の病巣部を含む領域に関する血流情報を計測させる（時刻ｔ３）。時刻ｔ３において組織性状情報計測部２３は、ドプラ画像データに基づき、患者の病巣部を含む領域に関する血流情報を計測（取得）する。図６は、予め準備されている会陰・直腸を含む前立腺周辺の人体解剖図（標準モデル）にドプラ画像を重畳表示した画像を示している。図６において、具体的には、人体解剖図の破線部分ＤＰがドプラ画像の表示位置に対応する。図６左側は、重畳表示されたドプラ画像を拡大して示している。ディスプレイ２６（裸眼３Ｄディスプレイ）は、重畳画像を表示する。なお、経直腸超音波画像または経腹３Ｄ超音波画像などにより計測された患者本人の会陰−前立腺間の距離・位置関係および肛門・直腸と前立腺の位置関係に基づいて、人体解剖図（標準モデル）を患者本人の身体に適合するよう修正する。人体解剖図の修正手段として、例えば数値を入力することで標準モデルを微調整するアプリケーションなどが考えられる。図６中、ハッチング密度は、血流量に対応している。すなわち図６において、ハッチング密度の高いピクセルは血流量の多いピクセルである。組織性状情報計測部２３は、計測された血流情報を、関連付け部２５及び算出部２７に送出する。
【００５１】
なおディスプレイ２９（裸眼３Ｄディスプレイ）は、修正された人体解剖図に（１）前立腺内部の詳細な３Ｄ超音波画像、（２）前立腺全体の形状や体積情報、（３）前立腺組織の硬さ分布情報、（４）主要な血管位置情報を、共通の３次元座標系を用いて重畳表示しても良い。このとき例えば、上記（１）は腫瘍が疑われる輝度値が予め設定された任意の閾値以上に低いピクセルを画像処理で抽出した画像、上記（２）は前立腺の輪郭部分を抽出した画像、上記（３）は硬さ情報のうち予め決められた任意の閾値以上の値を持つピクセルを抽出した画像（閾値未満のピクセルを透過するものでも良い）、上記（４）は血流情報のうちの予め決められた任意の閾値以上の値を持つピクセルを抽出した画像とする。
【００５２】
時刻ｔ３の後、システム制御回路３５は関連付け部２５に、組織性状情報計測部２３により計測された硬さ情報（癌の検査候補点群を含む）及び血流情報を共通の座標系に関連付けさせる（時刻ｔ４）。時刻ｔ４において関連付け部２５は、硬さ情報と血流情報とを共通の２次元座標系に関連付ける。関連付け部２５は、共通の２次元座標系に代えて硬さ情報と血流情報とを共通の３次元座標系に関連付けても良い。その場合、ピクセルはボクセルと読み替える。
【００５３】
関連付け部２５は、例えば、図５に示す硬さ情報と図６に示す血流情報とを共通の２次元座標系に関連付けることにより図７に示す関連付け情報を発生する。図７は、エラストグラフィ画像とドプラ画像との関連付け情報を示している。
【００５４】
図７中、斜め網ハッチングの密度は、組織の硬い部分すなわち穿刺必要度の高さに対応している。図７に示す例では、硬さ情報から算出される各ピクセルの穿刺必要度を斜め網ハッチングの密度によって２段階に設定している。すなわち図７において、斜め網ハッチングの密度の高いピクセルは組織の硬いピクセルすなわち穿刺必要度の高いピクセルを示す。ここで穿刺必要度とは、穿刺をする必要性の高さを示す度合いである。穿刺必要度の高い画素は、癌があると考えられる画素である。
【００５５】
算出部２７は、エラストグラフィで計測された硬さ情報の分布のうち、組織の硬さを示す値の任意の閾値から最大値までの硬さ情報の分布を悪性腫瘍（癌等）の疑いのある組織と仮定する。算出部２７は、例えば２ｍｍピクセルで再構成したときに各ピクセルの硬さ情報（例えばピクセルに含まれる硬さ情報のうちの最大値または平均値）が閾値以上か閾値未満かを判断し、各ピクセルの穿刺必要度を決定する。ここにおいて算出部２７は、閾値から最大値までをさらに複数段階に分けた穿刺必要度を設定しても良い。
【００５６】
図７中、ドットハッチングの密度は、太い血管部分すなわち穿刺回避必要度の高い部分に対応している。図７に示す例では、血流情報から算出される各ピクセルの穿刺回避必要度をドットハッチングの密度によって２段階に設定している。ここで穿刺回避必要度とは、穿刺を回避する必要性の高さを示す度合いである。すなわち図７において、ドットハッチングの密度の高いピクセルは血管の太いピクセルすなわち穿刺回避必要度の高いピクセルである。経直腸アプローチ可能範囲ＲＮは、関連付けられた座標系のうち直腸側から前立腺をターゲットとして穿刺針１００を刺入することが可能な範囲である。
【００５７】
算出部２７は、ドプラモードで計測された血流情報の分布のうち、任意の閾値から最大値までの血流情報の分布を主要血管のある部位と仮定する。算出部２７は、例えば２ｍｍピクセルで再構成したときに各ピクセルの血流情報（例えばピクセルに含まれる血流情報のうちの最大値または平均値）が閾値以上か閾値未満かを判断し、各ピクセルの穿刺回避必要度を決定する。ここにおいて算出部２７は、閾値から最大値までをさらに複数段階に分けた穿刺回避必要度を設定しても良い。
【００５８】
算出部２７は図７の関連付け情報に基づいて、患者の病巣部を含む領域に関する穿刺経路ＲＴを算出する。なお算出部２７は、取得された硬さ情報、血流情報及び経直腸アプローチ可能範囲ＲＮから、穿刺必要度、穿刺回避必要度及び穿刺経路ＲＴを自動的に算出しても良い。具体的には算出部２７は、経直腸アプローチ可能範囲ＲＮから刺入し、穿刺回避必要度の高い画素（太い血管に対応する画素）を避け、穿刺必要度の高い画素（硬い組織に対応する画素）に到達する穿刺経路ＲＴを算出する。例えば算出部２７は、それぞれのピクセルにおいてプラス・マイナス等で穿刺必要度及び穿刺回避必要度の重み付けを行い、穿刺経路ＲＴとなり得るピクセルの座標を結ぶ直線としての穿刺経路ＲＴを算出する。ここで、穿刺針１００の先端が前立腺の輪郭を示すピクセルを超えて通過しない経路となることも重要である。また算出部２７は、穿刺必要度分布と穿刺回避必要度分布とを等高線で示し、経直腸または会陰等のアプローチ可能範囲ＲＮ内のピクセルと、穿刺必要度の高いピクセルとを結ぶ複数の最適な穿刺経路ＲＴを算出しても良い。複数の穿刺経路ＲＴは、エラストグラフィによる硬さ情報には偽陽性・偽陰性の可能性が含まれることから、前立腺診断ガイドライン等に準じて可能な限り広範囲に穿刺する場合に算出される。但し、穿刺経路ＲＴは、少なくとも１つが算出されればよい。例えば、直腸診及びその他の手段と硬さ情報とがかなり一致して、悪性腫瘍が強く疑われる部分がある等の場合によっては、１つの穿刺経路ＲＴのみを算出してもよい。
【００５９】
時刻ｔ４の後、システム制御回路３５は裸眼３Ｄデータ生成部２８に、多層画像またはボリュームデータに基づいて、屈折率分布型レンズにより閲覧者の閲覧角度に応じた複数視差の画像を生成させる。ここで、生成した複数視差の画像は、例えば、裸眼３Ｄ表示の全体３Ｄ画像であるとする。しかる後、システム制御回路３５は、裸眼３Ｄデータ生成部２８により、例えば、全体３Ｄ画像、超音波画像（対象２Ｄ画像）、エラストグラフィ画像及びドプラ画像を合成して画面データを作成する（時刻ｔ５）。
【００６０】
時刻ｔ５の後、システム制御回路３５はディスプレイ２９に、画像を表示させる（時刻ｔ６）。図８は、図１の超音波プローブ３の、前立腺への直腸側アプローチによる超音波画像データである。図９は、図１のディスプレイ２９の表示例のひとつを示す図である。図９の表示例においてディスプレイ２９は、ディスプレイの表示部分を４分割し、ディスプレイ左上部分に体表側（経腹部）からの全体３Ｄ画像を表示する。全体３Ｄ画像は、前立腺全体の形状、体積の他に、前立腺と直腸やその他の臓器との位置関係等の情報を示す。ここでディスプレイ左上の破線部分ＴＧは撮影対象部分を示し、ディスプレイの他の部分（ディスプレイ左上、右上、右下）の画像とリンクする。ディスプレイ２９は、ディスプレイ右上部分に対象の超音波画像（対象２Ｄ画像）を表示する。ディスプレイ２９は、ディスプレイ右下部分に対象のエラストグラフィ画像を表示する。ディスプレイ２９は、ディスプレイ左下部分に対象のドプラ画像を表示する。ディスプレイ右上部分、右下部分および左下部分は、例えば同倍率及び共通の座標系で表示され、穿刺針１００および癌の検査候補点群ＣＮが画面上の同一の部分に描出される。ドプラ画像においては、さらに、血管ＢＬが表示される。ディスプレイ左上部分は、他の画像とは異なる座標系による裸眼３Ｄ表示になっており、閲覧者の閲覧角度に応じた複数視差の画像を表示する。なお、対象２Ｄ画像、エラストグラフィ画像及びドプラ画像は、超音波プローブ３を動かしながら積層する２Ｄ画像データを取得することにより、それぞれ３Ｄ画像としてもよい。
【００６１】
また、実際の穿刺時に必要な技術として、上記の方法で算出した穿刺経路と実際の穿刺状況を比較する手段が必要である。通常の手段としては、穿刺針の映る２次元的な超音波の断面画像をリアルタイムにモニタリングしている画面に穿刺経路を重畳表示させる方法がある。この場合、裸眼３Ｄディスプレイ上にＧＲＩＮレンズを用いて、裸眼３Ｄ画像と２次元超音波画像とを表示することで、術者は１つのディスプレイに集中できる。ＧＲＩＮレンズを用いてディスプレイ上に、裸眼３Ｄ画像と、各超音波画像の生データの任意の２次元断面とを表示して、算出された穿刺経路の修正の参考とすることもできる。修正の検討時に、複数種類の超音波画像のうちの任意の画像をディスプレイ２９から消去又は再表示してもよい。これに加え、直腸診から得たアナログ情報を、マウス等により色情報として入力して表示してもよい。
【００６２】
なお、本実施形態ではエラストグラフィ画像とドプラ画像から最適な穿刺経路を算出した。しかしながら、本実施形態は当該例に拘泥されない。例えば、ＭＲＩ等の他の画像情報を共通座標で表示し、癌の検査候補点群ＣＮや血管ＢＬとなりそうな位置の情報を自動または手動で入力して穿刺経路の算出に用いることも考えられる。また、圧力センサや触覚センサ等を用いて直腸診情報を数値化した場合には、当該数値化情報を硬さ情報として穿刺経路の算出に用いることができる。
【００６３】
上述したように本実施形態によれば、超音波プローブ３の出力に基づいて、エラストグラフィを用いて、当該領域に関する硬さ情報を取得し、超音波プローブの出力に基づいて、超音波カラードップラ法を用いて、当該領域に関する血流情報を取得する。関連付け部２５は、硬さ情報及び血流情報を共通の座標系に関連付ける。算出部２７は、硬さ情報及び血流情報に基づいて、当該領域に関する穿刺経路を算出する。ディスプレイ２９は、超音波プローブの出力及び関連付けられた結果に基づいて医用画像を表示すると共に、さらに穿刺経路を示すマークを位置整合して医用画像に表示する。
【００６４】
従って、血流を避けつつ、硬い病巣部に向かう穿刺経路の表示をユーザが視認することにより、穿刺針を利用した超音波検査の効率を向上させることができる。
【００６５】
また、本実施形態によれば、複数視差における硬さ情報と血流情報とをそれぞれ関連付け、閲覧者の閲覧角度に応じて複数視差における関連付けの結果に基づいて、立体視可能な立体画像を表示する場合には、２次元画像に比べ、超音波画像による穿刺ガイドの精度を向上させることができる。
【００６６】
さらに、本実施形態によれば、屈折率分布型レンズにより、複数視差に基づく立体画像と２次元画像とを切り替えて表示することもできる。
【００６７】
また、本実施形態によれば、屈折率分布型レンズの部分領域毎に、複数視差に基づく立体画像と２次元画像とを切り替えて表示する場合には、立体画像と２次元画像とを同時に表示することにより、術者が１つのディスプレイに集中できる効果がある。これに加え、立体画像と同一画面上に各超音波画像の生データの任意の２次元断面を表示することにより、算出された穿刺経路を修正するときの参考とすることができる。
【００６８】
また、本実施形態によれば、ボリュームデータに基づいて、立体画像を生成することもできる。この場合、各ボクセルに各種の情報を関連付けることができる。
【００６９】
さらに、本実施形態によれば、硬さ情報に基づいて、穿刺の必要度合を示す穿刺必要度を計算することができる。また、血流情報に基づいて、穿刺の回避必要度合を示す穿刺回避必要度を計算することができる。
【００７０】
この場合、計算された穿刺必要度と穿刺回避必要度とを、裸眼３Ｄディスプレイに表示することができる。従って術者は、穿刺必要度（穿刺の有効性）と穿刺回避必要度（穿刺の危険性）とを表示した裸眼３Ｄディスプレイを見ながら手技を進めることができる。これに加え、穿刺必要度（穿刺の有効性）と穿刺回避必要度（副作用の可能性）とを定量的に把握し、穿刺の有効性と副作用の可能性とのバランスが最適になるような穿刺を実現させることができる。
【００７１】
また、本実施形態によれば、屈折率分布型レンズにより閲覧者の閲覧角度に応じた複数視差における関連付けの結果を表示することもできる。この場合、関連付けた硬さ情報と血流情報とを立体的に表示することから、穿刺の精度の向上を図ることができる。
【００７２】
上記説明において用いた「プロセッサ」という文言は、例えば、CPU（central processing unit）、GPU (Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７４】
１…超音波診断装置、３…超音波プローブ、５…装置本体、１１…送信部、１３…受信部、１５…送受信制御部、１７…Ｂモード処理部、１９…ドプラモード処理部、２１…画像生成部、２３…組織性状情報計測部、２５…関連付け部、２７…算出部、２８…データ生成部、２９…ディスプレイ、３１…入力インターフェース回路、３３…記憶回路、３５…システム制御回路、１００…穿刺針、２００…位置センサ、３００…アダプタ
【図１】
0006670607.tif 000002
【図２】
0006670607.tif 000003
【図３】
0006670607.tif 000004
【図４】
0006670607.tif 000005
【図５】
0006670607.tif 000006
【図６】
0006670607.tif 000007
【図７】
0006670607.tif 000008
【図８】
0006670607.tif 000009
【図９】
0006670607.tif 000010